(57)【要約】【課題】加熱ベルトに付着した残留トナーがシートに転写して、画像品質が低下するのを防止する。【解決手段】シートに転写されるトナーを加熱する加熱ベルトと、加熱ベルトを加熱するための加熱部と、加熱ベルトに付着したシートを剥離するための剥離ブレードと、剥離ブレードを加熱ベルトに当接する当接位置と、加熱ベルトから離間する離間位置との間で駆動する駆動部と、を有する定着装置。剥離ブレードは、加熱ベルトが少なくとも１回転するまで、当接位置に位置する。【選択図】図４
2011076091.tif 000002
【特許請求の範囲】
【請求項１】
シートに転写されるトナーを加熱する回転部材と、
前記回転部材を加熱するための加熱部と、
前記回転部材に付着したシートを剥離するための剥離ブレードと、
前記剥離ブレードを前記回転部材に当接する第１の位置と、前記回転部材から離間する第２の位置との間で駆動する駆動部と、を有する定着装置。
【請求項２】
請求項１に従う装置において、
前記剥離ブレードは、前記回転部材が少なくとも１回転するまで、前記第２の位置に位置する。
【請求項３】
請求項１に従う装置において、
前記剥離ブレードは、前記第２の位置において前記回転部材から剥離したトナーを貯留する開口部を有する。
【請求項４】
請求項１に従う装置において、
前記剥離ブレードは、潤滑ゴムである。
【請求項５】
請求項１に従う装置において、
前記駆動部は、前記剥離ブレードが揺動する際の揺動軸部と、前記剥離ブレードに接続する可動鉄芯を備え、該可動鉄芯が移動することにより前記剥離ブレードを前記第１の位置と前記第２の位置との間で揺動するソレノイドと、前記ソレノイドに対する通電を制御するコントローラと、を備える。
【請求項６】
請求項５に従う装置において、
前記コントローラが前記ソレノイドへの通電を許可すると、前記剥離ブレードが前記第２の位置から前記第１の位置に移動し、前記コントローラが前記ソレノイドへの通電を禁止すると、前記剥離ブレードが前記第１の位置から前記第２の位置に移動する。
【請求項７】
請求項６に従う装置において、
前記剥離ブレードが前記第１の位置に位置する状態において、前記剥離ブレードを前記第２の位置に向かって揺動する方向に付勢する付勢部を有する。
【請求項８】
請求項１に従う装置において、
前記回転部材は、ベルト部材である。
【請求項９】
シートを搬送するシート搬送部と、
シートにトナー像を転写する転写部と、
シートに転写されるトナーを加熱する回転部材と、前記回転部材を加熱するための加熱部と、前記回転部材に付着したシートを剥離するための剥離ブレードと、前記剥離ブレードを前記回転部材に当接する第１の位置と、前記回転部材から離間する第２の位置との間で駆動する駆動部と、を備える定着部と、を有する画像形成装置。
【請求項１０】
シートに転写されるトナーを加熱する回転部材に付着した残留トナーを、前記回転部材に付着したシートを剥離するための剥離ブレードが前記回転部材に当接することにより剥離する残留トナーの剥離方法。
【発明の詳細な説明】
【技術分野】
【０００１】
実施形態は、シートに転写されるトナーを加熱する回転部材に残留するトナーを取り除く技術に関する。
【背景技術】
【０００２】
従来の画像形成装置では、ジャムが発生すると、定着ローラを加熱するための加熱部が動作を停止する。加熱部の動作が停止すると、定着ローラにより搬送されるシートの温度が徐々に低下する。シートの温度が低下すると、シートに転写したトナーは、シートに定着せずに、定着ローラに付着する場合がある。
【発明の概要】
【発明が解決しようとする課題】
【０００３】
しかし、ジャム処理後に印刷が行われると、定着ローラに付着した残留トナーがシートに転写して、画像品質が低下するおそれがある。
【課題を解決するための手段】
【０００４】
上記課題を解決するため、実施形態の定着装置は、シートに転写されるトナーを加熱する回転部材と、前記回転部材を加熱するための加熱部と、前記回転部材に付着したシートを剥離するための剥離ブレードと、前記剥離ブレードを前記回転部材に当接する第１の位置と、前記回転部材から離間する第２の位置との間で駆動する駆動部と、を有する。
【０００５】
また、実施形態の画像形成装置は、シートを搬送するシート搬送部と、シートにトナー像を転写する転写部と、シートに転写されるトナーを加熱する回転部材と、前記回転部材を加熱するための加熱部と、前記回転部材に付着したシートを剥離するための剥離ブレードと、前記剥離ブレードを前記回転部材に当接する第１の位置と、前記回転部材から離間する第２の位置との間で駆動する駆動部と、を備える定着部と、を有する。
【０００６】
また、実施形態の残留トナーの剥離方法は、シートに転写されるトナーを加熱する回転部材に付着した残留トナーを、前記回転部材に付着したシートを剥離するための剥離ブレードが前記回転部材に当接することにより剥離する。
【図面の簡単な説明】
【０００７】
【図１】画像形成装置の縦断面図である。
【図２】駆動部のブロック図である。
【図３】定着装置の拡大図であり、剥離ブレードが加熱ベルトに当接する前の状態を示す。
【図４】定着装置の拡大図であり、剥離ブレードが加熱ベルトに当接した状態を示す。
【図５】残留トナーの剥離方法を示すフローチャートである。
【図６】変形例１の剥離ブレードの断面図である。
【発明を実施するための形態】
【０００８】
図１は、画像形成装置の縦断面図である。画像形成装置１は、画像読取部Ｒと、画像形成部Ｐと、を備える。コントローラ４１は、画像読取部Ｒ及び画像形成部Ｐを含む画像形成装置１全体の制御を司る。
【０００９】
画像読取部Ｒは、シート原稿およびブック原稿の画像をスキャンして読み取る。画像読取部Ｒは、原稿を支持する原稿デーブル５ａと画像情報を画像データに変換する画像センサー５ｂとを備える。画像センサー５ｂは、ＣＣＤセンサーであってもよい。画像読取部Ｒは、照明装置５ｃから出射される照明光を原稿テーブル５ａにセットされた原稿に照射し、原稿において反射された反射光を、画像センサー５ｂで画像信号に変換する。
【００１０】
画像形成部Ｐは、画像読取部Ｒにて原稿から読み取られた画像や外部機器から画像形成装置に送信された画像データ等に基づいて、シートに現像剤像を形成する。
【００１１】
画像形成部Ｐは，シート供給部３、感光体ドラム１１ａ〜１１ｄ、現像装置１３ａ〜１３ｄ、転写ベルト１５、クリーナー１７ａ〜１７ｄ、転写装置１９、定着装置２１及び露光装置２３を備える。
【００１２】
各感光体ドラム１１ａ〜１１ｄは、潜像を保持する。各現像装置１３ａ〜１３ｄは、対応する各感光体ドラム１１ａ〜１１ｄが保持する潜像にトナーを供給して、現像する。転写ベルト１５は、各感光体ドラム１１ａ〜１１ｄが保持するトナーの像を順に保持する。
【００１３】
各クリーナー１７ａ〜１７ｄは、対応する感光体ドラム１１ａ〜１１ｄに残るトナーを取り除く。転写装置１９は、転写ベルト１５が保持するトナーの像を、シートに転写する。シートは、普通紙、透明な樹脂シートであるＯＨＰシートであってもよい。
【００１４】
露光装置２３は、各感光体ドラム１１ａ〜１１ｄに潜像を形成する。定着装置２１は、シートを加熱することにより、シートに転写されたトナー像を定着する。定着装置２１の詳細は、後述する。
【００１５】
シート供給部３は、カセット３１、ピックアップローラ３３、分離機構３５及び搬送ローラ３７、アライニングローラ３９を備える。分離機構３５は、ピックアップローラ３３がカセット３１から取り出し、シートが２枚以上になることを阻止する。複数の搬送ローラ３７は、分離機構３５が１枚に分離したシートをアライニングローラ３９に向けて搬送する。
【００１６】
アライニングローラ３９は、転写装置１９が転写ベルト１５から現像剤の像を転写するタイミングに合わせて、シートを転写装置１９と転写ベルト１５が接する転写位置に送る。
【００１７】
カバー１ａは、ジャム処理を行う領域を閉じる閉じ位置と、画像形成装置１から突出してジャム処理を行う領域を開く開き位置との間で動作する。
【００１８】
開閉センサー９６は、カバー１ａの開閉を検知する。開閉センサー９６は押しボタン式のスイッチであってもよい。カバー１ａが開き位置から閉じ位置に移動すると、開閉センサー９６は信号を出力する。
【００１９】
図１及び図２を参照して、定着装置２１について詳細に説明する。図２は、駆動部のブロック図である。
【００２０】
定着装置２１は、加熱ローラ８２と、加圧ローラ８３と、張架ローラ８４と、回転部材としての加熱ベルト８５と、加熱部８６と、剥離ブレード９４と、駆動部９０と、を備える。
【００２１】
加圧ローラ８３は、加熱ベルト８５に接触し、矢印方向に回転する。加熱ローラ８２、張架ローラ８４及び加熱ベルト８５は、加圧ローラ８３に従道して回転する。
【００２２】
加熱部８６は、コイルを備え、このコイルに印加した高周波電流により磁束が発生する。加熱部８６が生成した磁束は、加熱ベルト８５に渦電流を誘導して、加熱ベルト８５が発熱する。
【００２３】
剥離ブレード９４は、加熱ベルト８５が位置する方向に向かって延びる。剥離ブレード９４は、加圧ローラ８３及び加熱ベルト８５のニップ位置から排出され、加熱ベルト８５に付着したシートに当接する。剥離ブレード９４に当接したシートは、加熱ベルト８５から剥がれる。
【００２４】
駆動部９０は、剥離ブレード９４を加熱ベルト８５から離間する離間位置と、加熱ベルト８５に当接する当接位置との間で駆動する。
【００２５】
駆動部９０は、ソレノイド９１、戻しバネ９２及び揺動軸部９３を含む。ソレノイド９１は、可動鉄芯９１Ａを備える。コントローラ４１は、電源部４２を制御することにより、ソレノイド９１のコイルに流れる電流のオン及びオフを制御する。
【００２６】
コントローラ４１は、タイマー９８に接続し、タイマー９８のカウント時間に基づき各種の制御を行う。
【００２７】
可動鉄芯９１Ａの先端部は、剥離ブレード９４の基端部に接続する。戻しバネ９２は、可動鉄芯９１Ａの剥離ブレード９４を挟んだ反対側に位置する。戻しバネ９２の先端部は、剥離ブレード９４の基端部に接続する。
【００２８】
揺動軸部９３は、戻しバネ９２よりも剥離ブレード９４の先端側に位置する。剥離ブレード９４は、揺動軸部９３周りに揺動する。
【００２９】
剥離ブレード９４は、潤滑ゴムであってもよい。剥離ブレード９４の当接時に、加熱ベルト８５に加わる負荷が小さくなり、画質の低下を抑制する。
【００３０】
次に、図３乃至図５を参照して、加熱ベルト８５に付着した残留トナーの剥離方法について説明する。図３は定着装置の拡大図であり、剥離ブレードが加熱ベルトに当接する前の状態を示す。図４は定着装置の拡大図であり、剥離ブレードが加熱ベルトに当接した状態を示す。図５は残留トナーの剥離方法を示すフローチャートである。
【００３１】
初期状態において、カバー１ａは開き位置に位置して、ジャム処理中であるものとする。剥離ブレード９４は、図３に図示するように、加熱ベルトから離間した位置に位置する。
【００３２】
Ａｃｔ１０１において、コントローラ４１は、開閉センサー９６からの出力の有無を判別する。開閉センサー９６の出力が有りの場合、Ａｃｔ１０２に進む。
【００３３】
Ａｃｔ１０２において、コントローラ４１は、電源部４２にソレノイド９１への通電を指示するとともに、タイマー９８にカウントを指示する。
【００３４】
ソレノイド９１に電流が流れると、可動鉄芯９１Ａは図３の矢印Ａ方向にリニアに移動する。可動鉄芯９１Ａが矢印Ａ方向に移動すると、剥離ブレード９４が揺動軸部９３を回転軸として反時計回り方向に揺動する。
【００３５】
剥離ブレード９４が反時計周り方向にさらに揺動すると、図４に図示するように、剥離ブレード９４の先端部は、加熱ベルト８５に当接する。
【００３６】
剥離ブレード９４は、加熱ローラ８２及び加熱ベルト８５が重なる領域において、加熱ベルト８５に当接してもよい。
【００３７】
剥離ブレード９４が反時計周り方向に揺動する際に、戻しバネ９２が伸びる。剥離ブレード９４は、戻しバネ９２によって揺動軸部９３を回転軸とした時計周り方向に引っ張られながら、反時計周り方向に揺動する。
【００３８】
Ａｃｔ１０３において、コントローラ４１は、タイマー９８によるカウント時間がＴ１に達したか否かを判別する。加熱ベルト８５が１回転するのに要する時間をＴ２としたときに、Ｔ１≧Ｔ２であってもよい。
【００３９】
剥離ブレード９４が加熱ベルト８５に当接した状態で、加熱ベルト８５が少なくとも１回転することにより、加熱ベルト８５に残った残留トナーが剥離ブレード９４に移動する。
【００４０】
加熱ベルト８５が回転する際に、コントローラ４１は、電源部４２を制御して、加熱部８６に通電してもよい。ジャム処理時に温度低下した加熱ベルト８５の昇温処理と、加熱ベルト８５に付着した残留トナーの剥離処理との処理タイミングが同じになるため、印刷に向けた準備時間が短縮化する。
【００４１】
Ａｃｔ１０３において、タイマー９８によるカウント時間がＴ１に達した場合には、Ａｃｔ１０４に進む。
【００４２】
Ａｃｔ１０４において、コントローラ４１は、電源部４２に対してソレノイド９１への通電禁止を指示する。ソレノイド９１に電流が流れなくなると、戻しバネ９２のバネ力によって、剥離ブレード９４は揺動軸部９３を回転軸として時計周りに方向に揺動する。剥離ブレード９４がさらに揺動すると、剥離ブレード９４は、図３に図示する離間位置に戻る。
【００４３】
Ａｃｔ１０４において、コントローラ４１は、タイマー９８をリセットする。
【００４４】
（変形例１）
図６は変形例１の剥離ブレードの断面図である。上記実施形態と同一の機能を有する構成要素には、同一符合を付す。剥離ブレード１０１は、基板１０２及び当接部１０３を含む。基板１０２はＳＵＳであってもよい。
【００４５】
基板１０２の板厚方向の一端面には戻しバネ９２が接続し、他端面には可動鉄芯９１Ａが接続する。基板１０２の先端側は当接部１０３が覆う。当接部１０３は、潤滑ゴムであってもよい。潤滑ゴムは、フッ素樹脂であってもよい。
【００４６】
当接部１０３は、後端部から先端部に向かって厚さが漸減するテーパー部１０３Ａを備える。当接部１０３のテーパー部１０３Ａは、収容開口部１０３Ｂを備える。収容開口部１０３Ｂは、加熱ベルト８５から剥離ブレード１０１に移動した残留トナーを収容する。一旦剥離ブレード１０１に移動した残留トナーが落下するのを防止する。
【００４７】
（変形例２）
駆動部９０は、ソレノイド９１に限定されるものではなく、他の駆動機構であってもよい。他の駆動機構は、リンク機構、エアシリンダであってもよい。
剥離ブレード９４は、リンク機構に固定する。リンク機構が回転することによって、剥離ブレード９４は動作する。
【００４８】
剥離ブレード９４は、エアシリンダのピストンロッドの先端部に固定する。ピストンロッドが進退することにより、剥離ブレード９４は動作する。
【００４９】
剥離ブレード９４及び可動鉄芯９１Ａが同軸上に位置するとともに、可動鉄芯９１Ａの先端部に剥離ブレード９４を固定してもよい。可動鉄芯９１Ａがソレノイド９１から離間する方向に移動すると、剥離ブレード９４は加熱ベルト８５に当接する。可動鉄芯９１Ａがソレノイド９１に接近する方向に移動すると、剥離ブレード９４は加熱ベルト８５から離間する。
【００５０】
（変形例３）
剥離ブレード９４が動作するタイミングは、ジャム処理直後以外のタイミングであってもよい。剥離ブレード９４が動作するタイミングは、ピクセルカウントで検出した画像濃度が閾値を超えたときであってもよい。例えば、カラー印刷の場合、複数種類のトナーがシート上に積層するため、画像濃度が高くなり、加熱ベルト８５にトナーが付着しやすくなる。カラー印刷時に加熱ベルト８５に付着したトナーは、剥離ブレード９４に移動する。
【００５１】
（変形例４）
加熱ローラ８２及び加熱ベルト８５は、発熱ロールと置換してもよい。発熱ロールは、加熱部８６からの磁束によって渦電流が発生する導電層を表層部に備える。剥離ブレード９４は、発熱ロールに当接する当接位置と、発熱ロールから離間する離間位置との間で動作する。
【００５２】
本発明は、その精神または主要な特徴から逸脱することなく、他の様々な形で実施することができる。そのため、前述の実施の形態はあらゆる点で単なる例示に過ぎず、限定的に解釈してはならない。本発明の範囲は、特許請求の範囲によって示すものであって、明細書本文には、なんら拘束されない。さらに、特許請求の範囲の均等範囲に属する全ての
変形、様々な改良、代替および改質は、すべて本発明の範囲内のものである。
【符号の説明】
【００５３】
４１  コントローラ    ８２  加熱ローラ    ８３  加圧ローラ
８４  張架ローラ    ８５  加熱ベルト    ８６  加熱部    ９０  駆動部
９４  剥離ブレード
【図１】
2011076091.tif 000003
【図２】
2011076091.tif 000004
【図３】
2011076091.tif 000005
【図４】
2011076091.tif 000006
【図５】
2011076091.tif 000007
【図６】
2011076091.tif 000008